(57)【要約】【課題】本体ケースに接続装着したホットカーラーを、片手操作で本体ケースから簡便に取り外すことができる、ホットカーラーの加熱装置を提供する。【解決手段】本体ケース（１）の上面（６５）に、ホットカーラー（Ｃ）を装着するための接続突起（２）が突設してあるホットカーラーの加熱装置である。接続突起（２）に隣接する本体ケース（１）の上面（６５）に、接続突起（２）に装着したホットカーラー（Ｃ）の抜き外し操作を補助する指受体（３）が設けてあり、  ホットカーラー（Ｃ）、接続突起（２）及び指受体（３）のそれぞれの高さ寸法を以下の関係を満たすよう設定した。ホットカーラー（Ｃ）の高さ寸法をＸ、接続突起（２）の高さ寸法をＹ、指受体（３）の高さ寸法をＺとした場合、Ｚ＞Ｘ、Ｚ＜Ｘ＋５０ｍｍ、Ｘ＋Ｙ−Ｚ＜２０ｍｍとする。【選択図】図１
2006006687.tif 000002
【特許請求の範囲】
【請求項１】
本体ケース（１）の上面（６５）に、ホットカーラー（Ｃ）を装着するための接続突起（２）が突設してあるホットカーラーの加熱装置であって、
接続突起（２）に隣接する本体ケース（１）の上面（６５）に、接続突起（２）に装着したホットカーラー（Ｃ）の抜き外し操作を補助する指受体（３）が設けてあり、
ホットカーラー（Ｃ）、接続突起（２）及び指受体（３）のそれぞれの高さ寸法を下記の関係を満たすよう設定したことを特徴とするホットカーラーの加熱装置。
ホットカーラー（Ｃ）の高さ寸法をＸ、接続突起（２）の高さ寸法をＹ、指受体（３）の高さ寸法をＺとした場合、
Ｚ＞Ｘ
Ｚ＜Ｘ＋５０ｍｍ
Ｘ＋Ｙ−Ｚ＜２０ｍｍ
とする。
【請求項２】
本体ケース（１）の上面（６５）に、ホットカーラー（Ｃ）を装着するための接続突起（２）が突設してあるホットカーラーの加熱装置であって、
接続突起（２）に隣接する本体ケース（１）の上面（６５）に、接続突起（２）に装着したホットカーラー（Ｃ）の抜き外し操作を補助する指受体（３）が設けてあり、
ホットカーラー（Ｃ）、接続突起（２）及び指受体（３）のそれぞれの高さ寸法を下記の関係を満たすよう設定したことを特徴とするホットカーラーの加熱装置。
ホットカーラー（Ｃ）の高さ寸法をＸ、接続突起（２）の高さ寸法をＹ、指受体（３）の高さ寸法をＺとした場合、
Ｚ＞Ｘ
Ｚ＜Ｘ＋Ｙ
Ｚ−Ｘ＞Ｘ＋Ｙ−Ｚ
とする。
【請求項３】
本体ケース（１）の上面（６５）に、プラグイン型のホットカーラー（Ｃ）を電気的に接続するための接続突起（２）が突設され、接続突起（２）の内部に給電用のソケット（４）が配置してあるホットカーラーの加熱装置であって、
ホットカーラー（Ｃ）の内面には、ソケット（４）に差し込み接続される給電プラグ（１５）が下向きに突設されており、
接続突起（２）に隣接する本体ケース（１）の上面（６５）に、ソケット（４）に装着したホットカーラー（Ｃ）の抜き外し操作を補助する指受体（３）が設けてあることを特徴とするホットカーラーの加熱装置。
【請求項４】
上記接続突起（２）の高さが、指受体（３）の高さの半分以下に設定してあることを特徴とする請求項３に記載のホットカーラーの加熱装置。
【請求項５】
指受体（３）が、本体ケース（１）に対して着脱可能に装着されていることを特徴とする請求項１乃至請求項３の何れかに記載のホットカーラーの加熱装置。
【請求項６】
指受体（３）が、使用姿勢と収納姿勢とに姿勢変更可能に構成されており、
不使用時の指受体（３）が、本体ケース（１）の底面と、接続突起（２）の突端面を含む仮想平面との間の空間を利用して収納されている請求項１乃至請求項３の何れかに記載のホットカーラーの加熱装置。
【請求項７】
本体ケース（１）の上面（６５）に、他の接続突起（２）より上方に突出する高位接続突起（２Ａ）が設けられており、
高位接続突起（２Ａ）と、高位接続突起（２Ａ）に装着したホットカーラー（Ｃ）とが、指受体（３）を兼ねている請求項１乃至請求項５の何れかに記載のホットカーラーの加熱装置。
【請求項８】
高位接続突起（２Ａ）と、高位接続突起（２Ａ）に設けたソケット（４）に対して、給電プラグ（１５）を介して電気的に装着されるホットカーラー（Ｃ）とが、指受体（３）を兼ねている請求項６記載のホットカーラーの加熱装置。
【請求項９】
指受体（３）の上端面に、指先を受け入れる掛止凹部（２５）が形成されている請求項１記載のホットカーラーの加熱装置。
【請求項１０】
指受体（３）に、ホットカーラー（Ｃ）と接続突起（２）との装着位置の目安となる位置表示が設けられている請求項１または請求項２に記載のホットカーラーの加熱装置。
【請求項１１】
指受体（３）に、接続突起（２）に対するホットカーラー（Ｃ）の装着操作を補助する装着ガイド（４４）が形成されている請求項１または請求項２に記載のホットカーラーの加熱装置。
【請求項１２】
指受体（３）に、ホットカーラーの周面を受け止め支持するカーラー受壁（４３）が形成されている請求項１または請求項２に記載のホットカーラーの加熱装置。
【請求項１３】
本体ケース（１）から取り外した指受体（３）が、本体ケース（１）の底面に形成した収納凹部（３５）に対して、着脱自在に嵌め込み装着されている請求項４記載のホットカーラーの加熱装置。
【請求項１４】
本体ケース（１）に、指受体（３）の基端に設けた嵌合軸（２１）を装着するための連結穴（２３）が形成されており、
連結穴（２３）に臨むケ−ス内部に、嵌合軸（２１）に設けたロック溝（２８）と係脱するロック片（２９）が配置されており、
ロック片（２９）は、ケース本体（１）で往復スライド自在に案内支持されて、ばね（３０）でロック溝（２８）と係合する向きに移動付勢されている請求項４記載のホットカーラーの加熱装置。
【請求項１５】
指受体（３）の基端に設けた嵌合軸（２１）が、他の部位より太く形成されており、
本体ケース（１）に設けた連結穴（２３）に対して、指受体（３）が本体ケースの底面側から嵌め込み装着されている請求項１３記載のホットカーラーの加熱装置。
【発明の詳細な説明】
【技術分野】
【０００１】
本発明は、ホットカーラーを所定温度に加熱するための加熱装置に関する。
【背景技術】
【０００２】
ホットカーラーには、その内部に発熱素子を備えている自己発熱型と、加熱装置からの伝導熱を受ける蓄熱型とがあるが、自己発熱型のホットカーラーは特許文献１に公知であり、この種のホットカーラー用の加熱装置は、例えば特許文献２に公知である。特許文献１のホットカーラーは、カーラー本体の内部に発熱素子と、熱伝導用の金属筒、および給電プラグを備えている。特許文献２の加熱装置においては、中空箱状の本体ケースの上面複数箇所に円柱状の接続突起を突設し、接続突起の内部に給電用のソケットを配置している。使用時には、ホットカーラーの給電プラグを給電用のソケットに接続して、ホットカーラーの内部に設けた発熱素子によってカーラー本体を加熱する。
【０００３】
【特許文献１】特許第２９１９０２８号公報（第２頁、図１）
【特許文献２】特開平９−２３９２０号公報（段落番号００１７、図２）
【発明の開示】
【発明が解決しようとする課題】
【０００４】
上記のようなプラグイン型のホットカーラーにおいては、給電プラグをソケットに対して差し込み装着することにより、ホットカーラーを発熱装置に接続するが、接続状態を確実なものとするために、給電プラグをソケットの弾性力によって強い力で挟持固定している。そのため、ホットカーラーの着脱にはある程度強い力を加える必要があり、とくにホットカーラーを取り外す場合には、例えば片手で加熱装置を押さえ保持し、他方の手でホットカーラーをつかんで抜き取る必要がある。給電プラグが上下に長く、給電プラグとソケットの嵌合長さが大きいことも、ホットカーラーの取り外し操作を困難化する一因になっている。蓄熱型のホットカーラーの場合にも、加熱ロッドにカーラー本体を密着係合させるため、同様の取り外しにくさがある。とくに、直径寸法が大きなホットカーラーの場合には、加熱装置から取り外しにくいうえ、細い給電プラグとソケットとの位置合わせに手間取ることがある。
【０００５】
本発明の目的は、本体ケースに接続装着したホットカーラーを、片手のみで簡便に取り外すことができて、操作しやすいホットカーラーの加熱装置を提供することにある。本発明の目的は、直径寸法が大きなホットカーラーであっても、給電プラグとソケットとの位置合わせが適確に行え、したがってホットカーラーを簡単に着脱操作できるホットカーラーの加熱装置を提供することにある。本発明の目的は、加熱装置とその付属品とをコンパクトにまとめて収納でき、したがって、商品発送時の占有スペースや、不使用状態における収納スペースを最小限化できるホットカーラーの加熱装置を提供することにある。
【課題を解決するための手段】
【０００６】
本発明に係るホットカーラーの加熱装置は、本体ケース１の上面に、ホットカーラーＣを装着するための接続突起２が突設してあって、接続突起２に隣接する本体ケース１の上面に、接続突起２に装着したホットカーラーＣの抜き外し操作を補助する指受体３が設けてあり、ホットカーラーＣ、接続突起２及び指受体３のそれぞれの高さ寸法を下記の関係を満たすよう設定した。
ホットカーラーＣの高さ寸法をＸ、接続突起２の高さ寸法をＹ、指受体３の高さ寸法をＺとした場合、
Ｚ＞Ｘ
Ｚ＜Ｘ＋５０ｍｍ
Ｘ＋Ｙ−Ｚ＜２０ｍｍ
とする。
ホットカーラーＣがプラグイン型（自己発熱型）である場合には、接続突起２の内部に給電用のソケット４を配置し、ホットカーラーＣの内面に、ソケット４に差し込み接続される給電プラグ１５を下向きに突設する。請求項１の構成は、請求項２、請求項３、請求項４の構成と組み合わすことができ、組み合わされればお互いが互いの効果を享受でき、さらに使い勝手の良いホットカーラーの加熱装置となる。
【０００７】
また、本発明に係るホットカーラーの加熱装置は、本体ケース１の上面に、ホットカーラーＣを装着するための接続突起２が突設してあって、接続突起２に隣接する本体ケース１の上面に、接続突起２に装着したホットカーラーＣの抜き外し操作を補助する指受体３が設けてあり、ホットカーラーＣ、接続突起２及び指受体３のそれぞれの高さ寸法を下記の関係を満たすよう設定した。
ホットカーラーＣの高さ寸法をＸ、接続突起２の高さ寸法をＹ、指受体３の高さ寸法をＺとした場合、
Ｚ＞Ｘ
Ｚ＜Ｘ＋Ｙ
Ｚ−Ｘ＞Ｘ＋Ｙ−Ｚ
とする。
ホットカーラーＣがプラグイン型である場合には、接続突起２の内部に給電用のソケット４を配置し、ホットカーラーＣの内面に、ソケット４に差し込み接続される給電プラグ１５を下向きに突設する。
【０００８】
また、本発明に係るホットカーラーの加熱装置は、本体ケース１の上面に、プラグイン型のホットカーラーＣを電気的に接続するための接続突起２が突設され、接続突起２の内部に給電用のソケット４が配置してあり、ホットカーラーＣの内面には、ソケット４に差し込み接続される給電プラグ１５が下向きに突設されており、接続突起２に隣接する本体ケース１の上面に、ソケット４に装着したホットカーラーＣの抜き外し操作を補助する指受体３が設けてある。
【０００９】
具体的には、上記接続突起２の高さが、指受体３の高さの半分以下に設定してある。
【００１０】
指受体３は、本体ケース１に対して着脱可能に装着してある。
【００１１】
図８および図９に示すように、指受体３は使用姿勢と収納姿勢とに姿勢変更可能に構成することができ、不使用時の指受体３は、本体ケース１の底面と、接続突起２の突端面を含む仮想平面との間の空間を利用して収納することができる。
【００１２】
図１０に示すように、本体ケース１の上面には他の接続突起２より上方に突出する高位接続突起２Ａを設け、高位接続突起２Ａと、高位接続突起２Ａに装着したホットカーラーＣとが指受体３を兼ねるようにすることができる。
【００１３】
さらに、接続突起２の内部に給電用のソケット４を配置し、ホットカーラーＣの内面にソケット４に差し込み接続される給電プラグ１５を下向きに突設する。以て、高位接続突起２Ａと、高位接続突起２Ａに設けたソケット４に対して、給電プラグ１５を介して電気的に装着されるホットカーラーＣとが、指受体３を兼ねるようにすることができる。
【００１４】
図２に示すように指受体３の上端面には、指先を受け入れる掛止凹部２５を形成する。指受体３には、ホットカーラーＣと接続突起２との装着位置の目安となる位置表示を設けることができる。指受体３には、図１１に示すごとく接続突起２に対するホットカーラーＣの装着操作を補助する装着ガイド４４を形成することができる。図１１に示すように、指受体３には、ホットカーラーの周面を受け止め支持するカーラー受壁４３を形成することができる。
【００１５】
図７に示すように、本体ケース１から取り外した指受体３は、本体ケース１の底面に形成した収納凹部３５に対して、着脱自在に嵌め込み装着して収納することができる。
【００１６】
図４および図５に示すように、本体ケース１に、指受体３の基端に設けた嵌合軸２１を装着するための連結穴２３を形成し、連結穴２３に臨むケ−ス内部に、嵌合軸２１に設けたロック溝２８と係脱するロック片２９を配置し、ロック片２９は、ケース本体１で往復スライド自在に案内支持して、ばね３０でロック溝２８と係合する向きに移動付勢することができる。
【００１７】
指受体３の基端に設けた嵌合軸２１は、他の部位より太く形成し、本体ケース１に設けた連結穴２３に対して、指受体３を本体ケースの底面側から嵌め込み装着することができる。
【発明の効果】
【００１８】
本発明では、本体ケース１の上面に接続突起２を設けたうえで、ホットカーラーＣの抜き外し操作を補助する指受体３を接続突起２に隣接して設けた。そのうえで、ホットカーラーＣの高さ寸法をＸ、接続突起２の高さ寸法をＹ、指受体３の高さ寸法をＺとした場合、
Ｚ＞Ｘ
Ｚ＜Ｘ＋５０ｍｍ
Ｘ＋Ｙ−Ｚ＜２０ｍｍ
と設定した。これによって、加熱されたホットカーラーＣを接続突起２およびソケット４から取り外す場合、図１４に示すように、親指や中指などでカーラー本体１１をつかみ、人差し指を指受体３の上端にあてがった状態、即ち、人差し指で本体ケース１を押さえ固定した状態でホットカーラーＣを抜き外し操作することで、ホットカーラーＣと、接続突起２とを確実に分離できる。したがって、本発明の加熱装置によれば、本体ケース１に接続装着したホットカーラーＣを片手のみで簡便に取り外すことができ、操作しやすい加熱装置を提供できる。
【００１９】
Ｚ＞Ｘ、かつ、Ｚ＜Ｘ＋５０ｍｍ、すなわち、指受体３の高さを、接続突起２に装着したホットカーラーＣの上端の高さより５０ｍｍを超えない高い位置に設定したことで、より自然な姿勢で指受体３を押さえ保持して、ホットカーラーＣを簡便に取り外すことができる。なお、５０ｍｍは、成人の人差し指の長さがおよそ５０ｍｍ〜８０ｍｍであるので、最大でもホットカーラーＣの高さ寸法に５０ｍｍを加えた長さより低く設定していれば、全ての使用者が不自由なく使えるのでこのような寸法とした。そのうえ、Ｘ＋Ｙ−Ｚ＜２０ｍｍに設定していることで、接続突起２に対してホットカーラーＣが全方位に自由となったときの人差し指が十分届いた状態（図１４（ｃ）参照）となり、指の踏ん張りが効いた状態での全方位を含む離脱操作が行るので、さらに取り外し操作が容易となる。なお、２０ｍｍは、成人の人差し指の第一関節の長さがおよそ２０ｍｍ〜３０ｍｍであるので、その差が最大でも２０ｍｍを超えないようにしていれば全ての使用者が不自由なく使えるのでこのような寸法とした。（請求項１）
【００２０】
また、本発明では、本体ケース１の上面に接続突起２を設けたうえで、ホットカーラーＣの抜き外し操作を補助する指受体３を接続突起２に隣接して設けた。そのうえで、ホットカーラーＣの高さ寸法をＸ、接続突起２の高さ寸法をＹ、指受体３の高さ寸法をＺとした場合、
Ｚ＞Ｘ
Ｚ＜Ｘ＋Ｙ
Ｚ−Ｘ＞Ｘ＋Ｙ−Ｚ
と設定した。これによって、加熱されたホットカーラーＣを接続突起２およびソケット４から取り外す場合、図１４に示すように、親指や中指などでカーラー本体１１をつかみ、人差し指を指受体３の上端にあてがった状態、即ち、人差し指で本体ケース１を押さえ固定した状態でホットカーラーＣを抜き外し操作することで、ホットカーラーＣと、接続突起２とを確実に分離できる。したがって、本発明の加熱装置によれば、本体ケース１に接続装着したホットカーラーＣを片手のみで簡便に取り外すことができ、操作しやすい加熱装置を提供できる。
【００２１】
Ｚ＞Ｘ、すなわち、指受体３の高さを、接続突起２に装着したホットカーラーＣの上端の高さより高い位置に設定したことで、より自然な姿勢で指受体３を押さえ保持して、ホットカーラーＣを簡便に取り外すことができる。Ｚ＜Ｘ＋Ｙ、すなわち接続突起２に対してホットカーラーＣが全方位に自由となる位置、の高さより指受体３の高さを低い位置に設定していることで、取り外し操作に支障のない状態を維持しながら、嵩張り易い指受体３の高さ寸法を可能な限り抑えることができる。そのうえ、Ｚ−Ｘ＞Ｘ＋Ｙ−Ｚに設定していることで、接続突起２に対してホットカーラーＣが全方位に自由となるためのホットカーラーＣの移動距離のうち、指受体３の上端とホットカーラーＣの上端が揃うまでの長さを大きくとることができ、一方、その分、上端同士が揃った位置からホットカーラーＣが全方位に自由となるまでの長さを短くできるので、接続突起２に対してホットカーラーＣが全方位に自由となったとき、指の踏ん張りが効いた状態での全方位を含む離脱操作が行えるので、さらに取り外し操作が容易となる。（請求項２）
【００２２】
また、本体ケース（１）の上面に、プラグイン型のホットカーラーＣを電気的に接続するための接続突起２が突設され、接続突起２の内部に給電用のソケット４が配置してあるホットカーラーの加熱装置であって、ホットカーラーＣの内面には、ソケット４に差し込み接続される給電プラグ１５が下向きに突設されており、接続突起２に隣接する本体ケース１の上面に、ソケット４に装着したホットカーラーＣの抜き外し操作を補助する指受体３が設けられることにより、加熱されたホットカーラーＣを接続突起２およびソケット４から取り外す場合、親指や中指などでカーラー本体１１をつかみ、人差し指を指受体３の上端にあてがった状態、即ち、人差し指で本体ケース１を押さえ固定した状態でホットカーラーＣを抜き外し操作することで、ホットカーラーＣと、接続突起２とを確実に分離できる。したがって、本発明の加熱装置によれば、本体ケース１に接続装着したホットカーラーＣを片手のみで簡便に取り外すことができ、操作しやすい加熱装置を提供できる。なお、ここでの指受体３は、ホットカーラーＣの高さ寸法よりも低くてもよい。ホットカーラーＣは、ホットカーラーＣの給電プラグ１５が給電用のソケット４の上下に配される接触片によって挟持されていることにより固定状態となっている。つまり一種のロック状態である。ホットカーラーＣを取り外す際、指受体３を利用して、例えそれが請求項１、２と違って不自然な形態であったとしても、ロック状態さえ解除してやれば、つまり接触片の挟持状態を解除さえすれば、後は人差し指を指受体３に当てがわずとも、そのまま上方に引き抜けば、少なくとも両手を使用せずとも、ホットカーラーＣを取り外すことができるので、必ずしも指受体３は、ホットカーラーＣの高さ寸法より高い必要はない。（請求項３）
【００２３】
接続突起（２）の高さが、指受体（３）の高さの半分以下に設定してあることにより、ロック状態が解除された後の取り外し操作が容易となる。（請求項４）
【００２４】
指受体３を本体ケース１に対して着脱可能としたことにより、指受体３と本体ケース１とをコンパクトにまとめて収納でき、したがって商品発送時の占有スペースを最小限化して、搬送コストや在庫コストを削減できる。不使用状態における加熱装置全体の収納スペースを最小限化できる利点もある。本体ケース１から取り外した指受体３は、例えば、接続突起２の間に横臥姿勢で収納し、あるいは図７に示すように本体ケース１に設けた収納凹部３５に収納できる。このように、不使用時の指受体３を本体ケース１から取り外して収納すると、落下衝撃によって指受体３が折れることもない。（請求項５）
【００２５】
指受体３を使用姿勢と収納姿勢とに姿勢変更可能に構成し、不使用時の指受体３を本体ケース１の底面と、接続突起２の突端面を含む仮想平面との間の空間を利用して収納できるようにすると、指受体３を姿勢変更するだけで収納姿勢に切り換え、あるいは使用姿勢に切り換えることができるので、指受体３を本体ケース１に対して着脱する場合に比べて、指受体３の姿勢変更を少ない手間で簡便に行うことができる。指受体３が本体ケース１に常時組まれているので、指受体３を紛失することもない。（請求項６）
【００２６】
本体ケース１の上面に設けた高位接続突起２Ａと、高位接続突起２Ａに装着したホットカーラーＣとが指受体３を兼ねる加熱装置によれば、ホットカーラーＣこれ自体を利用する分だけ加熱装置の構造を簡素化し、ホットカーラーＣを加熱装置とは別にしてひとまとめに収納保存することにより、加熱装置の収納スペースを少なくできる。高位接続突起２Ａに装着されるホットカーラーＣを余分に持ち歩くことができるうえ、高位接続突起２Ａを複数個設ける場合には、その分だけより多くのホットカーラーＣを携行できる。ホットカーラーＣを高位接続突起２Ａに装着するだけで、指受体３を容易に構成できる利点もある。（請求項７）
【００２７】
ホットカーラーＣを利用して指受体３を構成する上記の加熱装置において、指受体３を兼ねるホットカーラーＣを加熱できるようにすると、その分だけ加熱できるホットカーラーＣの個数を増やして髪のくせ付けが短時間で行える。（請求項８）
【００２８】
指受体３の上端面に掛止凹部２５が形成されていると、人差し指の指先を掛止凹部２５にあてがってホットカーラーＣを抜き出し操作する際に、指先がずれ動くのを確実に防止できるので、本体ケース１に接続装着したホットカーラーＣを片手のみで更に確実に取り外すことができる。（請求項９）
【００２９】
指受体３に位置表示を設けると、位置表示を目安にしてホットカーラーＣと接続突起２との装着位置を決めることができるので、ホットカーラーＣの接続突起に対する装着を容易化できる。（請求項１０）
【００３０】
指受体３に設けた装着ガイド４４は、装着時におけるホットカーラーＣを位置決め案内して、その装着操作を補助するので、ホットカーラーＣを接続突起２およびソケット４に対して円滑に接続できる。とくに、直径寸法が大きなホットカーラーＣであっても、給電プラグ１５とソケット４との位置合わせを適確に行えるので、ホットカーラーＣを簡単に着脱操作できる。（請求項１１）
【００３１】
指受体３にホットカーラーの周面を受け止め支持するカーラー受壁４３が形成されていると、装着ガイド４４を設けた指受体３と同様に、装着する際のホットカーラーＣをカーラー受壁４３で案内できるうえ、給電プラグ１５とソケット４とが完全に接続し終わるまで両者４・１５を位置決めして、適正に接続することができる。接続突起２に装着したホットカーラーＣをカーラー受壁４３で受け止めることができるので、常に適正な接続姿勢を維持でき、ホットカーラーＣが外力を受けて傾動することもない。（請求項１２）
【００３２】
本体ケース１の底面に収納凹部３５を形成しておき、本体ケース１から取り外した指受体３を収納凹部３５に嵌め込んで収納すると、指受体３を本体ケース１と一体化したコンパクトな状態で収納保存できるので、不使用時における加熱装置の収納スペースを最小限化できるうえ、商品搬送時の占有スペースを小さくできる。収納時に指受体３が他物にまぎれたり、紛失するのをよく防止できる。（請求項１３）
【００３３】
嵌合軸２１に設けたロック溝２８と、ロック溝２８に係脱するロック片２９と、ロック片２９を係合付勢するばね３０などでロック機構を構成し、本体ケース１に設けた連結穴２３に指受体３の嵌合軸２１を嵌係合した状態において、嵌合軸２１をロック片２９でロック保持できるようにした加熱装置によれば、ロック機構によって指受体３の装着状態を維持し続けることができるので、例えば、加熱装置が床面に落下するような場合でも、指受体３が本体ケース１から分離して飛び散るのを防止できる。（請求項１４）
【００３４】
嵌合軸２１を指受体３の他の部位より太く形成して、本体ケース１に設けた連結穴２３に対して、指受体３を本体ケースの底面側から嵌め込み装着すると、指受体３を握って加熱装置を吊り下げ支持した状態において、指受体３が連結穴２３から抜け出るのを確実に阻止できる。（請求項１５）
【発明を実施するための最良の形態】
【００３５】
（実施例）  図１ないし図７並びに図１４は本発明に係る加熱装置の第１実施例を示す。図２において加熱装置は、薄い角箱状の本体ケース１を有し、本体ケース１の上面６５の４箇所にホットカーラーＣを電気的に接続するための接続突起２を突設し、各接続突起２から均等距離だけ離れたケース中央に指受体３を設けてある。
【００３６】
図３において各接続突起２には、給電用のソケット４を設けてある。ソケット４は、一対の電極５・６と、両電極５・６を間に挟む内筒７および外筒８とで、１個のユニット部品として構成してあり、外筒８を接続突起２に対して上面側から差し込み装着することにより、一対の電極５・６が本体ケース１内に臨んでいる。本体ケース１内には、各ソケット４の電極５・６を接続する給電リードやヒューズなどの電気部品が収容されている。符号９は給電線である。
【００３７】
図３においてホットカーラーＣは、耐熱樹脂成形品からなるカーラー本体１１と、カーラー本体１１の断面Ｈ字状の肉壁に埋設される上下一対の伝熱筒１２・１３と、両伝熱筒１２・１３の対向面間に配置される発熱素子１４と、発熱素子１４に加熱電流を供給する給電プラグ１５とを有する。カーラー本体１１の周面には、髪のからみつきやすくするためのリブ群が多段状に形成してある。発熱素子１４はＰＴＣヒーター（正特性サーミスター）からなり、発熱温度が設定温度に達すると、供給電流を自己制御して設定温度を維持する。給電プラグ１５は、カーラー本体１１の中心下面側に設けたボスから下向きに突設してあり、絶縁体１６の内外に中心電極１７と周囲電極１８とを配置してある。
【００３８】
図３の想像線で示すように、給電プラグ１５をソケット４に接続した状態では、中心電極１７と周囲電極１８とのそれぞれが、各電極５・６に設けた接触片５ａ・６ａで抱持状に保持されている。このときの各接触片５ａ・６ａは、図６に示すように、それぞれ拡径方向に弾性変形して、中心電極１７および周囲電極１８に密着し、カーラー本体１１がソケット４から分離するのを規制している。つまり、ホットカーラーＣは接続突起２の内部の接触片５ａ・６ａによって固定状態が維持されている。この固定状態を解除するとき、後述する指受体３を利用する。
【００３９】
上記のように、接続突起２およびソケット４に確りと装着されたホットカーラーＣを、片手のみで簡単に取り外し操作できるようにするために、本体ケース１の上面中央に指受体３を有する。図４において指受体３は、本体ケース１で軸支される嵌合軸２１と、嵌合軸２１に連続して上方へ突出する支軸２２とを一体に備えたプラスチック成形品からなり、嵌合軸２１を本体ケース１の中央に設けた連結穴２３に対して着脱自在に係合装着する。図１において支軸２２は、その上端に膨出形成した指当２４が、ソケット４に装着したホットカーラーＣの上端の高さより高い位置に来るよう突設されている。ホットカーラーＣ、接続突起２及び指受体３のそれぞれの高さ寸法を次の関係を満たすよう設定した。つまり、ホットカーラーＣの高さ寸法をＸ、接続突起２の高さ寸法をＹ、指受体３の高さ寸法をＺとした場合、Ｚ＞Ｘ、Ｚ＜Ｘ＋５０ｍｍ、Ｘ＋Ｙ−Ｚ＜２０ｍｍとした。これによって、加熱されたホットカーラーＣを接続突起２およびソケット４から取り外す場合、図１４（ａ）（ｂ）（ｃ）に示すように、親指や中指などでカーラー本体１１をつかみ、人差し指を指受体３の上端にあてがった状態、即ち、人差し指で本体ケース１を押さえ固定した状態でホットカーラーＣを抜き外し操作することで、ホットカーラーＣと、接続突起２とを確実に分離できる。したがって、本発明の加熱装置によれば、本体ケース１に接続装着したホットカーラーＣを片手のみで簡便に取り外すことができ、操作しやすい加熱装置を提供できる。Ｚ＞Ｘ、かつ、Ｚ＜Ｘ＋５０ｍｍ、すなわち、指受体３の高さを、接続突起２に装着したホットカーラーＣの上端の高さより５０ｍｍを超えない高い位置に設定したことで、より自然な姿勢で指受体３を押さえ保持して、ホットカーラーＣを簡便に取り外すことができる。なお、５０ｍｍは、成人の人差し指の長さがおよそ５０ｍｍ〜８０ｍｍであるので、最大でもホットカーラーＣの高さ寸法に５０ｍｍを加えた長さとしていれば、全ての使用者が不自由なく使えるのでこのような寸法とした。指の曲がりや角度等を考慮すればＺ＜Ｘ＋３０ｍｍが好ましい。そのうえ、Ｘ＋Ｙ−Ｚ＜２０ｍｍに設定していることで、接続突起２に対してホットカーラーＣが全方位に自由となったときの人差し指が十分届いた状態（図１４（ｃ）参照）となり、指の踏ん張りが効いた状態での全方位を含む離脱操作が行るので、さらに取り外し操作が容易となる。なお、２０ｍｍは、成人の人差し指の第一関節の長さがおよそ２０ｍｍ〜３０ｍｍであるので、その差が最大でも２０ｍｍとしていれば全ての使用者が不自由なく使えるのでこのような寸法とした。Ｘ＋Ｙ−Ｚ＜２０ｍｍということは、Ｘ＋Ｙ＜Ｚであってもよいことを意味する。指の曲がりや角度等を考慮すれば、−１０ｍｍ＜Ｘ＋Ｙ−Ｚ＜１０ｍｍの範囲が好ましい。さらに好ましくは０ｍｍ＜Ｘ＋Ｙ−Ｚ＜１０ｍｍとする。図１４（ａ）は、ホットカーラーＣの加熱直後の状態で、使用者が親指と中指でカーラー本体１１をつかみ、人差し指を指受体３の上端にあてがった状態（この状態のときに、Ｚ＞Ｘ、Ｚ＜Ｘ＋５０ｍｍを満たすものとする）を示したものであり、図１４（ｂ）は、人差し指で指受体３（本体ケース１）を押さえ固定した状態でホットカーラーＣを抜き外し操作する途中の状態を示しており、図１４（ｃ）は、カーラー本体１１の下端が接続突起２の上端から開放された直後の状態（Ｘ＋Ｙの状態、すなわち全方位に水平移動可能な状態）を示している。ＸはホットカーラーＣの高さ寸法、Ｙは本体ケース１の上面６５から接続突起２の上端までの高さ寸法、Ｚは本体ケース１の上面６５から指受体３の上端までの高さ寸法を意味する。第１実施例における具体的寸法は、Ｘ＝６７ｍｍ、Ｙ＝２１ｍｍ、Ｚ＝８７ｍｍである。
【００４０】
また、第１実施例のホットカーラーの加熱装置においては、ホットカーラーＣの高さ寸法をＸ、接続突起２の高さ寸法をＹ、指受体３の高さ寸法をＺとした場合、Ｚ＞Ｘ、Ｚ＜Ｘ＋Ｙ、Ｚ−Ｘ＞Ｘ＋Ｙ−Ｚの関係も満たしている。これによって、加熱されたホットカーラーＣを接続突起２およびソケット４から取り外す場合、図１４（ａ）（ｂ）（ｃ）に示すように、親指や中指などでカーラー本体１１をつかみ、人差し指を指受体３の上端にあてがった状態、即ち、人差し指で本体ケース１を押さえ固定した状態でホットカーラーＣを抜き外し操作することで、ホットカーラーＣと、接続突起２とを確実に分離できる。したがって、本発明の加熱装置によれば、本体ケース１に接続装着したホットカーラーＣを片手のみで簡便に取り外すことができ、操作しやすい加熱装置を提供できる。Ｚ＞Ｘ、すなわち、指受体３の高さを、接続突起２に装着したホットカーラーＣの上端の高さより高い位置に設定したことで、より自然な姿勢で指受体３を押さえ保持して、ホットカーラーＣを簡便に取り外すことができる。Ｚ＜Ｘ＋Ｙ、すなわち接続突起２に対してホットカーラーＣが全方位に自由となる位置、の高さより指受体３の高さを低い位置に設定していることで、取り外し操作に支障のない状態を維持しながら、嵩張り易い指受体３の高さ寸法を可能な限り抑えることができる。そのうえ、Ｚ−Ｘ＞Ｘ＋Ｙ−Ｚに設定していることで、接続突起２に対してホットカーラーＣが全方位に自由となるためのホットカーラーＣの移動距離のうち、指受体３の上端とホットカーラーＣの上端が揃うまでの長さを大きくとることができ、一方、その分、上端同士が揃った位置からホットカーラーＣが全方位に自由となるまでの長さを短くできるので、接続突起２に対してホットカーラーＣが全方位に自由となったとき、指の踏ん張りが効いた状態での全方位を含む離脱操作が行えるので、さらに取り外し操作が容易となる。
【００４１】
本体ケース１の上面６５に、プラグイン型のホットカーラーＣを電気的に接続するための接続突起２が突設され、接続突起２の内部に給電用のソケット４が配置してあるとともにホットカーラーＣの内面には、ソケット４に差し込み接続される給電プラグ１５が下向きに突設されており、接続突起２に隣接する本体ケース１の上面６５に、ソケット４に装着したホットカーラーＣの抜き外し操作を補助する指受体３が設けられることにより、加熱されたホットカーラーＣを接続突起２およびソケット４から取り外す場合、親指や中指などでカーラー本体１１をつかみ、人差し指を指受体３の上端にあてがった状態、即ち、人差し指で本体ケース１を押さえ固定した状態でホットカーラーＣを抜き外し操作することで、ホットカーラーＣと、接続突起２とを確実に分離できる。したがって、本発明の加熱装置によれば、本体ケース１に接続装着したホットカーラーＣを片手のみで簡便に取り外すことができ、操作しやすい加熱装置を提供できる。なお、ここでの指受体３は、ホットカーラーＣの高さ寸法よりも低くてもよい。ホットカーラーＣは、ホットカーラーＣの給電プラグ１５が給電用のソケット４の上下に配される接触片５ａ・５ｂによって挟持されていることにより固定状態となっている。つまり一種のロック状態である。ホットカーラーＣを取り外す際、指受体３を利用して、ロック状態さえ解除してやれば、つまり接触片５ａ・５ｂの挟持状態を解除さえすれば、後は人差し指を指受体３に当てがわずとも、そのまま上方に引き抜けば、少なくとも両手を使用せずとも、ホットカーラーＣを取り外すことができるので、必ずしも指受体３は、ホットカーラーＣの高さ寸法より高い必要はない。また、図１に示すように、接続突起２の高さが、指受体３の高さの半分以下に設定してあることにより、挟持状態（ロック状態）が解除された後の取り外し操作が容易となる。なお、実施例１では、接続突起２に対して、ホットカーラーＣを５．５ｍｍ上方に抜き出せば接触片５ａ・５ｂによる挟持が解除される。
【００４２】
嵌合軸２１と連結穴２３とは、それぞれ上すぼまりテーパー状に形成してあって、支軸２２を持って本体ケース１を吊り下げて加熱装置を持ち運ぶような場合に、嵌合軸２１が連結穴２３から抜け出るのを確実に防止できる。この場合の指受体３は、本体ケース１の底面側から連結穴２３に差し込んで組み付ける。嵌合軸２１は支軸２２に比べて大径に形成してあり、その下端に連結穴２３の下端開口より大径のフランジ２６が張り出し形成されている。符号２７はフランジ２６を受け止める係合段部であり、これら両者２６・２７によって、指受体３が連結穴２３から抜け出るのをさらに確実に阻止できるうえ、嵌合軸２１と連結穴２３との嵌合位置を位置決めできる。嵌合軸２１と連結穴２３との間には、両者２１・２３の係合状態を維持するロック機構が設けられている。
【００４３】
図４および図５においてロック機構は、嵌合軸２１の上部周面に周回状に形成したロック溝２８と、嵌合軸２１を間にして対向配置される一対のロック片２９と、ロック片２９をロック付勢する圧縮コイル形のばね３０とで構成する。図５においてロック片２９は、本体ケース１の内部に設けたガイド壁３１で往復スライド自在に案内支持されており、その進出端にロック溝２８と係合する部分円弧状の係合爪３２を備えている。
【００４４】
嵌合軸２１を連結穴２３に係合した状態では、一対のロック片２９の係合爪３２が、嵌合軸２１のロック溝２８に係合するので、指受体３が本体ケース１から分離することはない。指受体３を分離操作するときは、支軸２２を僅かに傾動して、ロック片２９をばね３０の付勢力に抗して退入させ、その状態のままで指受体３を押し込み操作することにより、ロック片２９とロック溝２８との係合状態を解除して指受体３を連結穴から取り外すことができる。
【００４５】
本体ケース１から取り外した指受体３は、図７に示すように、本体ケース１の底面に設けた収納凹部３５に嵌め込み収納する。収納凹部３５は、先の連結穴２３を横切る状態で斜めに形成してあり、その両端内面に保持爪３６・３７を備えている。片方の保持爪３６に嵌合軸２１を係合装着し、さらに他方の保持爪３７に指当２４の近傍の軸部分を係合装着することにより、指受体３を収納凹部３５に分離不能に収納できる。収納状態における指受体３は、本体ケース１の底壁表面よりケース内方に位置しており、商品発送時にも同様に収納されている。指当２４の上端面には指先を受け入れる掛止凹部２５が凹み形成されている。必ずしも、指当２４の上端面を凹み形成する必要はなく、フラット面でも良いし、凸状面であってもよい。指受体３は、その中途に比べ、指当２４の部分が水平に張り出し径が太くなっている。これは指当２４の部分を持ち易くして、加熱装置全体の持ち運びを容易にしたからである。
【００４６】
指受体３は、透明のプラスチック（ポリカーボネイト、アクリル、ナイロンなど）から形成されており、これにより加熱装置に冷涼感を与えている。また、指受体３を介して対向するホットカーラーＣを斜め上方から見たとき、使用者から離れている側の着色されたホットカーラーＣを指受体３を透かして見ることができ、興趣に富んだ加熱装置を提供できる。第１実施例の指受体３は断面円形の軸状ないし柱状の棒状体であるが、断面四角形の板状の棒状体であってもよい。その他に、断面三角形の棒状体、断面楕円の棒状体、断面５角形の棒状体などその形態は請求項の条件を満たすものならばどれであってもよい。指受体３は、上記効果を得るために、どの形態であっても透明のプラスチックを用いる。勿論、指受体３は不透明であってもよい。また、指受体３を下方が開放した透明の中空棒状体で構成し、その内部に、表面に装飾を施したシートを丸めて装着することができる。これにより指受体３を透かしてシートを見ることができデザイン性を向上させることができる。このとき指受体３を透かしてシートを見ることになるので、シートの装飾に深みを持たせることができる。シートはポリカーボネイトなどのプラスチックから成り、その弾性復元力によって、指受体３の中空部を構成する内壁に密接して固定されている。その上で丸まったシートの内部に、断面円形の棒状の固定体を圧入嵌合すれば、より一層シートの固定が安定する。指受体３が板状の棒状体を中空状にしたものにおいては、そのスロットに両面に装飾を施したシートを対向する内壁間に挟持されるよう差し込んで構成されるものとする。これによっても指受体３を透かしてシートを見ることができデザイン性を向上させることができる。このとき指受体３を透かしてシートを見ることになるので、シートの装飾に深みを持たせることができる。
【００４７】
ホットカーラーＣを加熱するときは、各接続突起２にカーラー本体１１を差し込んで、その給電プラグ１５をソケット４に差し込み係合する。加熱されたホットカーラーＣを接続突起２およびソケット４から取り外す場合には、上述したように、例えば親指と中指とでカーラー本体１１の下半分をつかみ、指受体３の掛止凹部２５に人差し指であてがって、本体ケース１を押さえ込んだ状態でカーラー本体１１を抜き上げることにより、給電プラグ１５をソケット４から分離できる。このとき、人差し指の先端を支点にして、梃子のように持ち上げると、カーラー本体１１をさらに容易に取り外すことができる。指受体３は、その下端を机上などの載置面に当接するよう本体ケース１に組み付けていれば、ホットカーラーＣの取り外し時にロック機構に対する負担が少ない。第１実施例ではこのように寸法設定している。
【００４８】
図８ないし図１３は加熱装置の別実施例を示す。図８においては、指受体３を伸縮自在な４個の筒軸３９でテレスコピック構造に構成して、不使用時における指受体３が、接続突起２の突端面を含む仮想平面と、本体ケース１の底面との間の空間を利用して収納できるようにした。指受体３は、使用時には実線で示す位置まで抜き出すが、不使用時には、想像線で示す位置まで縮めて収納することができる。他は先の実施例と同じであるので、同じ部材に同じ符号を付してその説明を省略する。以下の実施例においても同様に扱う。
【００４９】
図９においては、折り畳み可能に連結された３個の短軸４０で支軸２２を構成して、不使用時の支軸２２をピン４１まわりに折り畳むことにより、接続突起２の突端面を含む仮想平面と、本体ケース１の上面との間の空間に指受体３を収納できるようにした。図８および図９の実施例から理解できるように、支軸２２は本体ケース１に対して必ずしも着脱できる構造である必要はなく、使用姿勢と収納姿勢とに変向可能としたうえで、接続突起２の突出端面と、本体ケース１の底面との間の空間に収容できる構造であればよい。
【００５０】
図１０に示す加熱装置は、本体ケース１の上面６５の中央に他の接続突起２より上方に突出する高位接続突起２Ａを設けて、高位接続突起２Ａと、これに装着したホットカーラーＣとで指受体３を構成するようにした。この場合には、高位接続突起２Ａに設けたソケット４にホットカーラーＣの給電プラグ１５を接続して、指受体３を兼ねるホットカーラーＣこれ自体を加熱して髪のくせ付けに使用することができる。なお、高位接続突起２Ａに設けたソケット４へ加熱電流が供給されないようにする場合には、ソケット４はホットカーラーＣを支えるためのダミーソケットとして機能しているに過ぎない。高位接続突起２Ａに装着したホットカーラーＣと、その周りの接続突起２に装着されるホットカーラーＣとは、それぞれ等しい距離だけ離れている。
【００５１】
図１１は、指受体３を筒柱状に形成し、各接続突起２と対向する指受体３の周面に、カーラー本体１１の上下フランジの周面に沿う部分円弧面からなるカーラー受壁４３を設けて、給電プラグ１５をソケット４に接続した状態において、カーラー本体１１の上下フランジをカーラー受壁４３で受け止め支持して、加熱時にホットカーラーが外力を受けてぐらつくのを防止できるようにした。カーラー受壁４３は、カーラー本体１１の装着ガイド４４としても機能しており、カーラー本体１１の下フランジをカーラー受壁４３に沿って差し込み装填するだけで、給電プラグ１５とソケット４との中心位置を位置決めして、両者４・１５を適切に接続できる。
【００５２】
図示省略したが、指受体３の上端に、ホットカーラーＣと接続突起２との装着位置の目安となる位置表示を張り出し形成されていると、上記と同様に給電プラグ１５とソケット４との中心位置を大まかに位置決めできる。
【００５３】
図１２および図１３は、指受体３で操作される取出し機構によって、接続突起２に装着したホットカーラーＣを抜き出し操作できるようにした。指受体３の嵌合軸２１は連結穴２３で上下動可能に支持したうえで、ばね４６で押し上げ付勢する。嵌合軸２１の下端の周囲一箇所には、取出し機構を操作する突片４７を突設する。取出し機構は、各接続突起２に対応して配置してあり、本体ケース１の内面のブラケットで軸支されて上下揺動できる揺動腕４８と、揺動腕４８を待機付勢するばね４９と、揺動腕４８の上下揺動に連動して本体ケース１の上面に出没する押出し軸５０とで構成する。
【００５４】
支軸２２の上端には、突片４７の突出位置に対応する三角形の指標５１を形成してある。この指標５１を取り出し操作したいホットカーラーＣに向けたうえで、支軸２２を押し込み操作すると、突片４７が揺動腕４８の一端が押し下げ操作されるので、揺動腕４８の他端側に設けた押出し軸５０が本体ケース１から突出され、カーラー本体１１の下フランジを強制的に押し上げる。その結果、本体ケース１を押さえ保持する必要もなく、ホットカーラーＣを取り外すことができる。支軸２２の押し込み力を開放したうえで、指標５１を別のホットカーラーＣに向けることにより、突片４７を揺動腕４８と対向させることができる。５２は揺動腕４８の揺動軸、５３は揺動腕４８と押出し軸５０とを連結するピンである。支軸２２は嵌合軸２１に対して分離可能に、しかし相対回動は不能に係合装着してある。そのために、支軸２２の下端に設けた係合軸５５を、嵌合軸２１に設けた連結穴５６に圧嵌係合し、係合軸５５の周面一部に回止め用の突起５７を設けている。不使用時の支軸２２は嵌合軸２１から取り外して収納できる。
【００５５】
上記の実施例以外に、本発明の加熱装置は、ソケット４を備えた少なくとも１個の接続突起２と、指受体３とを備えていればよい。ホットカーラーＣの内部構造は実施例で説明した構造である必要はなく、給電用のプラグを備えたプラグイン型のヘアカーラーであれば足りる。指受体３は軸状あるいは柱状である必要はなく、例えば左右横長の壁状に形成して、その前後および左右に接続突起２を配置することができる。もちろん、複数個の軸状、あるいは柱状の指受体３を本体ケース１に設けることができる。本発明は、蓄熱型のホットカーラーを加熱対象とする加熱装置にも適用できる。その場合には、接続突起２に加熱ロッドを設けることができ、接続突起２自体が加熱ロッドを兼ねていてもよい。指受体３は、少なくとも指当２４の部分にウレタン塗装を施したり、或いは指当２４の部分にゴムカバーを被せて形成した滑り止め部を設け、他の部位に比べ摩擦係数を上げて滑り止めの効果を持たせている。これにより、ホットカーラーＣの取り外しがより一層容易となる。滑り止め部は、指当２４に小さな突起を多数一体成形したものであってもよく、微小凹凸面でもよい。微小凹凸面は、梨地面やローレット模様状の幾何学的な模様で形成する。例えば、指当表面にサンドブラスト処理を施して形成する。特に指は汗を掻きやすくホットカーラーＣの取り外しの際滑りやすいが、上記のような種々の滑り止め部は滑り止め効果を十分に発揮する。勿論、指受体３全体に滑り止め部を設けても良い。指当２４から指当２４の下方部分まで、或いは指受体３全体に滑り止め部を設ければ指受体３を手に持っての加熱装置の持ち運びの際、加熱装置の滑り落としを防止できる。第１実施例においては、少なくとも指受体３の径が細い部分から径が太くなり始める箇所から指当２４（凹部２５を含む）全体にかけてその表面に滑り止め部を設ける、或いは本体ケース１から突出する支軸２２の全体表面と指当２４（凹部２５を含む）の全体表面に滑り止め部を設ける。本体ケース１から突出しない嵌合軸２１の表面は、着脱を容易にするため滑り止め部は設けない。
【００５６】
指受体３の上端の高さは、ソケット４に装着したホットカーラーＣの上端の高さより高い位置に設けることが好ましいが、少なくともソケット４に装着したホットカーラーＣの上端の高さと同じ位置或いは多少低い位置にあってもよい。加熱装置に設ける接続突起２の配置個数は、複数個であることが好ましいが、いずれの場合でも各接続突起２から均等な距離だけ離れた位置に指受体３を設ける。本体ケース１から取り外した指受体３は、接続突起２の間に横臥姿勢で収納することができる。その場合の指受体３は、接続突起２の突端面を含む仮想平面と本体ケース１の上面６５との間の空間に収めることが好ましいが、指受体３が太い場合には、その一部が接続突起２の突端面を含む仮想平面から突出していてもよい。指受体３は支軸２２の中途部で分割することができるが、その場合の分割面は、接続突起２の突端面を含む仮想平面の上か、これより下方に位置させる。請求項１の構成は、請求項２、請求項３、請求項４の構成と組み合わすことができ、組み合わされればお互いが互いの効果を享受でき、さらに使い勝手の良いホットカーラーの加熱装置となる。ホットカーラーＣの内部に、ソケット４による給電中に別リードによって高電圧が印加されてマイナスイオンを発生することが可能なイオン発生装置（針状の放電電極）を設け、カーラー本体１１の内部にマイナスイオンをためておき、髪をカールするとき徐々にマイナスイオンを放出するようにしてもよい。その場合、カーラー本体１１の筒表面に小さな開口を設け、そこからマイナスイオンを髪に供給するようにする。或いは、本体ケース１の内部に高電圧が印加されてマイナスイオンを発生することが可能なイオン発生装置（針状の放電電極）を設け、接続突起２に装着されて加熱中のホットカーラーＣの下方からホットカーラーＣに向けてマイナスイオンを供給してホットカーラーＣ自体をマイナスに帯電させるよう構成してもよい。マイナスイオンの供給は本体ケース１の上面６５に開口したマイナスイオン放出口より行う。その場合、マイナスイオン放出口はカーラー本体１１の筒の投影内或いは投影外であれば給電中のカーラー本体１１に向けるよう形成される。これにより、プラスに帯電し易い髪を中和の方向に持っていくことができ、ぱさつきを防止することができる。カーラー本体１１の内部にマイナスイオン貯留用空間があれば、継続的にマイナスイオンを供給できるのでなおよい。上記何れの構成も、本体ケース１の内部に、放電電極に高電圧を印加するためのトランス、トランスにパルス電圧・電流を供給するためのイオン発生回路を備える。針状の放電電極はタングステンからなり、トランスによって４ＫＶまで昇圧された高電圧によってその尖端から電子が放出され、酸素をマイナスイオン化する。当然、放電電極はそれぞれホットカーラーＣのために個別に設けられる。
【図面の簡単な説明】
【００５７】
【図１】ホットカーラー用加熱装置の正面図である。
【図２】ホットカーラー用加熱装置の斜視図である。
【図３】給電プラグとソケットの構造を示す分解断面図である。
【図４】指受体の装着構造を示す縦断正面図である。
【図５】図４におけるＡ−Ａ線断面図である。
【図６】図３におけるＢ−Ｂ線断面図である。
【図７】指受体の収納構造を示す加熱装置の底面図である。
【図８】指受体の別の実施例を示す加熱装置の正面図である。
【図９】指受体のさらに別の実施例を示す加熱装置の正面図である。
【図１０】指受体のさらに別の実施例を示す加熱装置の斜視図である。
【図１１】指受体のさらに別の実施例を示す加熱装置の斜視図である。
【図１２】ホットカーラーの取出し構造の別の実施例を示す断面図である。
【図１３】図１３における取出し構造の平面図である。
【図１４】加熱装置からホットカーラーを取り外す状態を示した図である。
【符号の説明】
【００５８】
１  本体ケース
２  接続突起
３  指受体
４  ソケット
１１  カーラー本体
１４  発熱素子
１５  給電プラグ
Ｃ  ホットカーラー
【図１】
2006006687.tif 000003
【図２】
2006006687.tif 000004
【図３】
2006006687.tif 000005
【図４】
2006006687.tif 000006
【図５】
2006006687.tif 000007
【図６】
2006006687.tif 000008
【図７】
2006006687.tif 000009
【図８】
2006006687.tif 000010
【図９】
2006006687.tif 000011
【図１０】
2006006687.tif 000012
【図１１】
2006006687.tif 000013
【図１２】
2006006687.tif 000014
【図１３】
2006006687.tif 000015
【図１４】
2006006687.tif 000016